(57)【要約】      （修正有）【課題】市販されているコンポーネントステレオにおけるスピーカーボックスが、全体的に無機質で冷たいという印象を、落着いた感じにして室内の雰囲気を変える。【解決手段】硬質合成樹脂により、外周面に音声通過用の透孔１を多数設けた円筒状の保型体５を形成する一方、前記円筒状をした保型体５の外周面にシームレスの被覆用クロス６を纏着摺接して固着すると共に、該被覆用クロス６の上・下端周縁部を前記保型体５の上・下端に位置する枠材３に密着させて熱溶着して一体に固定し、更に、前記被覆用クロス６を熱溶着した保型体５の上端開口部に、円盤状の蓋板７を嵌着固定すると共に、前記保型体５の下端開口部に、開口部９を備えた環状の底板１０を嵌着固定してスピーカーカバーを形成する。【選択図】図４
2012039428.tif 000002
【特許請求の範囲】
【請求項１】
硬質合成樹脂により、外周面に音声通過用の透孔を多数設けた半円形状をした音声通過板を形成し、且つ該音声通過板の上・下端および両側端を、硬質合成樹脂により成る枠材に固定して２個の半円状をした保型片を形成すると共に、該２個の保型片の前記各枠材の両側端部をそれぞれ当接して、接着剤により接合固定して円筒状の保型体を形成する一方、前記円筒状をした保型体の外周面にシームレスの被覆用クロスを纏着摺接して固着すると共に、該被覆用クロスの上・下端周縁部を前記保型体の上・下端に位置する枠材に密着させて熱溶着して一体に固定し、更に、前記被覆用クロスを熱溶着した保型体の上端開口部に、円盤状の蓋板を嵌着固定すると共に、前記保型体の下端開口部に、開口部を備えた環状の底板を嵌着固定してスピーカーカバーが形成され、該スピーカーカバーを、前記開口部を介してスピーカーボックス上から被冠して、該スピーカーボックス全体を被覆するにしたことを特徴とするスピーカーカバー。
【請求項２】
硬質合成樹脂により、外周面に音声通過用の透孔を多数設けて、多角形状筒体を縦方向に２分割した形の音声通過板を形成し、且つ該音声通過板の上・下端および両側端を、硬質合成樹脂により成る枠材に固定して２個の多角形状をした保型片を形成すると共に、該２個の保型片の前記各枠材の両側端部をそれぞれ当接して、接着剤により接合固定して多角形状筒体の保型体を形成する一方、前記多角形状筒体をした保型体の外周面にシームレスの被覆用クロスを纏着摺接して固着すると共に、該被覆用クロスの上・下端周縁部を前記保型体の上・下端に位置する枠材に密着させて熱溶着して一体に固定し、更に、前記被覆用クロスを熱溶着した保型体の上端開口部に、円盤状の蓋板を嵌着固定すると共に、前記保型体の下端開口部に、開口部を備えた環状の底板を嵌着固定してスピーカーカバーが形成され、該スピーカーカバーを、前記開口部を介してスピーカーボックス上から被冠して、該スピーカーボックス全体を被覆するにしたことを特徴とするスピーカーカバー。
【発明の詳細な説明】
【技術分野】
【０００１】
本発明は、市販されているコンポーネントステレオにおけるセパレート型スピーカーシステムを構成するスピーカーボックス全体を被覆して使用するスピーカーカバーに関するものである。
【背景技術】
【０００２】
従来、市販されているコンポーネントステレオにおけるセパレート型スピーカーシステムを構成するスピーカーボックス全体を被覆して使用するスピーカーカバーは全く実用に供されておらず、過去の先行特許文献を「スピーカーカバー」をキーワードにして遡及検索したところ、下記の特許文献１に記載された発明が公知である。
【先行技術文献】
【特許文献】
【０００３】
【特許文献１】特開１０−７８８３１号公報
【発明の概要】
【発明が解決しようとする課題】
【０００４】
前記従来市販されているコンポーネントステレオにおけるセパレート型スピーカーシステムを構成するスピーカーボックスは、外枠がアルミニウム等の金属板、あるいは合成樹脂により形成されており、全体的に無機質で冷たい印象を与えるものであり、和室に設置するには違和感があるという課題があった。
【０００５】
また、特許文献１に記載の発明は、スピーカーカバーが記載されているが、これは携帯用コンピューターのディスプレイを接続するヒンジ部にスピーカを設置すると共に、該スピーカーを保護するため、前記ヒンジ部の湾曲面に合わせて半湾曲面状をしたスピーカーカバーを装着固定したものであり、スピーカー全体を被覆するという技術手段に関するものではない。
【０００６】
本発明は、前記課題を解決すべくなしたもので、例えば、従来市販されているスピーカーが外部より透視できるよう透明な合成樹脂により形成されたスピーカーボックス全体、あるいは、外枠がアルミニウム等の金属板により形成されたスピーカーボックス全体を被覆して、透明な合成樹脂や金属による冷たい感じを、落ち着いた感じにして室内の雰囲気を変えることができると共に、新たな室内装飾手段の役目を果たすことのできるスピーカーカバーを提供しようとするものである。
【課題を解決するための手段】
【０００７】
本発明は、硬質合成樹脂により、外周面に音声通過用の透孔を多数設けた半円形状をした音声通過板を形成し、且つ該音声通過板の上・下端および両側端を、硬質合成樹脂により成る枠材に固定して２個の半円状をした保型片を形成すると共に、該２個の保型片の前記各枠材の両側端部をそれぞれ当接して、接着剤により接合固定して円筒状の保型体を形成する一方、前記円筒状をした保型体の外周面にシームレスの被覆用クロスを纏着摺接すると共に、該被覆用クロスの上・下端周縁部を前記保型体の上・下端に位置する枠材に密着させて熱溶着して一体に固定し、更に、前記被覆用クロスを熱溶着した保型体の上端開口部に、円盤状の蓋板を嵌着固定すると共に、前記保型体の下端開口部に、開口部を備えた環状の底板を嵌着固定してスピーカーカバーが形成され、該スピーカーカバーを、前記開口部を介してスピーカーボックス上から被冠して、該スピーカーボックス全体を被覆するという手段、または、
硬質合成樹脂により、外周面に音声通過用の透孔を多数設けて、多角形状筒体を縦方向に２分割した形の音声通過板を形成し、且つ該音声通過板の上・下端および両側端を、硬質合成樹脂により成る枠材に固定して２個の多角形状をした保型片を形成すると共に、該２個の保型片の前記各枠材の両側端部をそれぞれ当接して、接着剤により接合固定して多角形状筒体の保型体を形成する一方、前記多角形状筒体をした保型体の外周面にシームレスの被覆用クロスを纏着摺接すると共に、該被覆用クロスの上・下端周縁部を前記保型体の上・下端に位置する枠材に密着させて熱溶着して一体に固定し、更に、前記被覆用クロスを熱溶着した保型体の上端開口部に、円盤状の蓋板を嵌着固定すると共に、前記保型体の下端開口部に、開口部を備えた環状の底板を嵌着固定してスピーカーカバーが形成され、該スピーカーカバーを、前記開口部を介してスピーカーボックス上から被冠して、該スピーカーボックス全体を被覆するという手段、
を採用することのより上記課題を解決した。
【発明の効果】
【０００８】
従来、外枠がアルミニウム等の金属板、あるいは全体が合成樹脂により形成されたスピーカーボックスが、全体的に無機質で冷たい印象を与えるものであるのに対し、前記スピーカーボックス全体を、本発明スピーカーカバーによって被覆することにより、外観上、特に視認される布製の被覆用クロス部分によって、金属や合成樹脂等による冷たい感じを落着いた感じにして、室内の雰囲気を変えることができるという優れた効果を奏することができる。
【図面の簡単な説明】
【０００９】
【図１】図１は、本発明スピーカーカバー全体の斜視図である。
【図２】図２は、同縦断面図である。
【図３】図３は、同横断面図である。
【図４】図４は、同組立分解斜視図である。
【図５】図５は、本発明スピーカーカバーの使用状態を示す正面図である。
【図６】図６は、他の実施例によるスピーカーカバー全体の斜視図である。
【図７】図７は、同横断面図である。
【図８】図８は、同組立分解斜視図である。
【実施例】
【００１０】
本発明の実施例を図面に基づいて詳細に説明する。図１は円筒形状をしたスピーカーカバーの斜視図、図２は同縦断面図、図３は同横断面図、図４は同組立分解斜視図である。硬質合成樹脂により、外周面に音声通過用の透孔１を多数設けた半円形状をした音声通過板２を形成し、且つ該音声通過板２の上・下端および両側端を止着する、硬質合成樹脂により成る枠材３に固定して２個の半円状をした保型片４を形成すると共に、該２個の保型片４の前記各枠材３の両側端部をそれぞれ当接して、接着剤により接合固定して円筒状の保型体５を形成する。
【００１１】
そして、前記円筒状をした保型体５の外周面に、従来公知のシームレスストッキング(縫い目のない長靴下)の製造方法と同一の製造方法により、伸縮性のある編み組織を用いてシームレスの被覆用クロス６を形成し、且つ該被覆用クロス６を前記円筒状の保型体５の外周面に伸縮させながら纏着摺接して固着すると共に、該被覆用クロス６の上・下端周縁部を前記保型体５の上・下端に位置する枠材３に密着させて熱溶着して一体に固定し、更に、前記被覆用クロス６を熱溶着した保型体５の上端開口部に、円盤状の蓋板７を嵌着固定すると共に、前記保型体５の下端開口部に、スピーカーボックス８に上方より被冠するための開口部９を備えて環状とした底板１０を嵌着固定して、スピーカーカバーＣが形成されている。すなわち、保型体５に被覆クロス６を一体に固着することにより、該被覆クロス６は前記保型体５の形状を維持することになる。なお、図中１１は、スピーカーボックス８とコンポーネントステレオ１２を構成するＦＭ／ＡＭレシーバ１３とを接続するケーブル１４を挿通するために、前記底板１０に穿設された挿通用切欠きである。
【００１２】
前記構成より成る本発明スピーカーカバーの作用について説明する。図５に示すように、前記本発明スピーカーカバーＣの下方の開口部９を介して、市販されているコンポーネントステレオ１２を構成するスピーカーボックス８上から被冠して、該スピーカーボックス８全体を被覆する。なお、前記スピーカーボックス８とＦＭ／ＡＭレシーバ１３とを接続するケーブル１４は、挿通用切欠き１１より引き出して使用する。
【００１３】
従来のスピーカーボックス８の外枠がアルミニウム等の金属板、あるいは前記スピーカーボックス８全体が合成樹脂により形成され、全体的に無機質で冷たい印象を与えるものであるが、前記スピーカーボックス８全体を、本発明スピーカーカバーによって被覆することにより、外観上、特に視認されるのは、布製の被覆用クロス６部分であるため、金属や合成樹脂等による冷たい感じを落着いた感じにして、室内の雰囲気を変えることができる。なお、スピーカーボックス８からの音声は、保型体５を構成する音声通過板２の多数の透孔１および被覆用クロス６の網目部を通して、本発明スピーカーカバーＣ外へ拡散するので、音声の伝播に不具合はない。
【００１４】
図６は、本発明スピーカーカバーの他の実施例を示す全体の斜視図、図７は同横断面図、図８は同組立分解斜視図である。すなわち、前記図１〜図４に示す実施例が、円筒状をしたスピーカーカバーであるのに対し、他の実施例に示すものは、多角形状筒体をしたスピーカーカバーであり、特に図６〜図８は、多角形状筒体のうち、四角形状筒体としたものである。図に示すように、硬質合成樹脂により外周面に音声通過用の透孔２１を多数設けて、四角形状筒体を縦方向に２分割した形状の音声通過板２２を形成し、且つ該音声通過板２２の上・下端および両側端を止着する、硬質合成樹脂より成る枠材２３に固定して２個の保型片２４を形成すると共に、且つ該２個の保型片２４の前記各枠材２３の両側端部をそれぞれ当接して、接着剤により接合固定して四角形状筒体の保型体２５を形成する。
【００１５】
そして、前記四角形状筒体をした保型体２５の外周面に、従来公知のシームレスストッキング(縫い目のない長靴下)の製造方法と同一の製造方法により、伸縮性のある編み組織を用いてシームレスの被覆用クロス２６を形成し、且つ該被覆用クロス２６を前記四角形状筒体の保型体２５の外周面に伸縮させながら纏着摺接して固着すると共に、該被覆用クロス２６の上・下端周縁部を前記保型体２５の上・下端に位置する枠材２３に密着させて熱溶着して一体に固定し、更に、前記被覆用クロス２６を熱溶着した保型体２５の上端開口部に、四角形状の蓋板２７を嵌着固定すると共に、前記保型体２５の下端開口部に、スピーカーボックス８に上方より被冠するための開口部２９を備えて四角形状枠とした底板３０を嵌着固定して、スピーカーカバーＣが形成されている。すなわち、保型体２５に被覆クロス２６を一体に固定することにより、該被覆クロス２６は前記保型体２５の形状を維持することになる。なお、図中、３１はスピーカーボックス８と、コンポーネントステレオ１２を構成するＦＭ／ＡＭレシーバ１３とを接続するケーブル１４を挿通するために、前記底板３０に穿設された挿通用切欠きである。
【００１６】
前記他の実施例によるスピーカーカバーの作用は、前記図１〜図４に示す実施例によるスピーカーカバーと同一であるので説明を省略する。
【００１７】
なお、前記他の実施例においては、多数形状をしたスピーカーカバーのうち、四角形状筒体としたものを説明したが、本発明スピーカーカバーは、前記四角形状筒体以外の３角形、５角形、６角形、８角形等、多角形状筒体としても採用できる。この場合、保型片および該保型片を固定する枠材も前記多角形状筒体を縦方向に２分割した形状にすることにより、すべての多角形状筒体に対応することができる。
【符号の説明】
【００１８】
１  透孔
２  音声通過板
３  枠材
４  保型片
５  保型体
６  被覆用クロス
７  蓋板
８  スピーカーボックス
９  開口部
１０  底板
１１  挿通用切欠き
１２  コンポーネントステレオ
１３  ＦＭ／ＡＭレシーバ
１４  ケーブル
２１  透孔
２２  音声通過板
２３  枠材
２４  保型片
２５  保型体
２６  被覆用クロス
２７  蓋板
２９  開口部
３０  底板
３１  挿通用切欠き
Ｃ  スピーカーカバー
【図１】
2012039428.tif 000003
【図２】
2012039428.tif 000004
【図３】
2012039428.tif 000005
【図４】
2012039428.tif 000006
【図５】
2012039428.tif 000007
【図６】
2012039428.tif 000008
【図７】
2012039428.tif 000009
【図８】
2012039428.tif 000010